(57)【要約】【課題】カードモジュールの挿入及び排出の際に、カードモジュールが端子に引掛ることがなく、高い信頼性を得ることができるようにする。【解決手段】カードモジュールの電極パッドと接触する端子が配設された端子保持部を含むハウジングを備え、端子は、端子保持部に保持された基部と、基部から平面視においてカードモジュールの挿入方向に対して横向きに延出するカンチレバー状の腕部を含み、腕部は、側面視において曲率中心が上方に位置するような曲面を有する湾曲した形状である湾曲部と、自由端に位置する頂部の両側において腕部の延出方向に対して傾斜する一対の斜辺部と、腕部を板厚方向に貫通する開口部とを含み、開口部は、平面視において一方の軸が腕部の延出方向に延在する菱形状の形状を有し、腕部における開口部を除いた部分の幅寸法は、腕部の自由端から基部に向うにつれて、リニアに漸増する。【選択図】図１
2019016603.tif 000002
【特許請求の範囲】
【請求項１】
（ａ）一面に電極パッドを備えるカードモジュールが挿入されるカード用コネクタであって、
（ｂ）前記カードモジュールの電極パッドと接触する端子が配設された端子保持部を含むハウジングを備え、
（ｃ）前記端子は、前記端子保持部に保持された基部と、該基部から平面視において前記カードモジュールの挿入方向に対して横向きに延出するカンチレバー状の腕部を含み、
（ｄ）該腕部は、側面視において曲率中心が上方に位置するような曲面を有する湾曲した形状である湾曲部と、自由端に位置する頂部の両側において前記腕部の延出方向に対して傾斜する一対の斜辺部と、前記腕部を板厚方向に貫通する開口部とを含み、該開口部は、平面視において一方の軸が前記腕部の延出方向に延在する菱形状の形状を有し、前記腕部における前記開口部を除いた部分の幅寸法は、前記腕部の自由端から前記基部に向うにつれて、リニアに漸増することを特徴とするカード用コネクタ。
【請求項２】
前記腕部は、前記基部に連結され、前記端子保持部の上面と平行な平板部と、前記湾曲部の先端に接続され、前記頂部を含み、前記端子保持部の上面より上方に位置する前方部とを更に含む請求項１に記載のカード用コネクタ。
【請求項３】
前記腕部の側面視における形状は、変曲点を含まず、かつ、前記基部に連結された箇所が前記基部と一直線に連続している請求項１又は２に記載のカード用コネクタ。
【請求項４】
前記斜辺部は、前記端子保持部の上面より上方に位置する部分を含む請求項１〜３のいずれか１項に記載のカード用コネクタ。
【請求項５】
前記端子は前記カードモジュールの挿入方向に延在する列を成すように配列され、該列において、前記カードモジュールの挿入方向に対して横方向に関する各端子の頂部の位置が相違する請求項１〜４のいずれか１項に記載のカード用コネクタ。
【発明の詳細な説明】
【技術分野】
【０００１】
本発明は、カード用コネクタに関するものである。
【背景技術】
【０００２】
従来、携帯電話機等の電子機器においては、ＳＩＭ（Ｓｕｂｓｃｒｉｂｅｒ  Ｉｄｅｎｔｉｔｙ  Ｍｏｄｕｌｅ）カード等の各種カードを利用するために、カード用コネクタを備えている。
【０００３】
近年、電子機器の小型化に伴って、カード及びカード用コネクタも小型化し、さらに、カード用コネクタが備える端子も小型化している。そこで、小型であっても弾性的な変位量が十分大きくなるように、三角形状の端子を備えるカード用コネクタが提案されている（例えば、特許文献１参照。）。
【０００４】
図１３は従来のカード用コネクタを示す図である。なお、図において、（ａ）は平面図、（ｂ）は（ａ）のＸ−Ｘ矢視断面図である。
【０００５】
図において、８１１は、絶縁性の樹脂材料から成るカード用コネクタのハウジングである。そして、該ハウジング８１１の底壁には、合計６つの端子８５１が、３つずつ２列に並ぶように、配設されている。また、各端子８５１は、全体として二等辺三角形状を有し、二等辺三角形の頂点に位置する接触部８５１ｃと、一対の辺に相当する一対の腕部８５１ｂと、各腕部８５１ｂの基端に接続され、少なくとも一部がハウジング８１１の底壁に埋込まれて支持される基部８５１ａとを備える。
【０００６】
さらに、各端子８５１は、カード９０１が挿入される前の状態では、側面視において、接触部８５１ｃがハウジング８１１の底壁の上方に位置し、腕部８５１ｂが基部８５１ａから接触部８５１ｃに向けて、斜め上方に直線的に延出している。なお、接触部８５１ｃは、上方に向けて膨出するように湾曲した形状を有する。
【先行技術文献】
【特許文献】
【０００７】
【特許文献１】特開２０１０−１６１０１２号公報
【発明の概要】
【発明が解決しようとする課題】
【０００８】
しかしながら、前記従来のカード用コネクタにおいて、各端子８５１は二等辺三角形の頂点に相当する接触部８５１ｃが図１３（ａ）における上方を向くように配設されている、すなわち、各端子８５１はカード９０１の挿入方向を向いている。そのため、カード９０１をスムーズに挿入することはできるが、カード９０１を抜出す際に、カード９０１の下面に不可避的に存在する凹凸の凸部が接触部８５１ｃに引掛り、端子８５１が損傷を受ける可能性がある。
【０００９】
本発明は、前記従来のカード用コネクタの問題点を解決して、カードモジュールの挿入及び排出の際に、カードモジュールが端子に引掛ることがない信頼性の高いカード用コネクタを提供することを目的とする。
【課題を解決するための手段】
【００１０】
そのために、本発明のカード用コネクタにおいては、一面に電極パッドを備えるカードモジュールが挿入されるカード用コネクタであって、前記カードモジュールの電極パッドと接触する端子が配設された端子保持部を含むハウジングを備え、前記端子は、前記端子保持部に保持された基部と、該基部から平面視において前記カードモジュールの挿入方向に対して横向きに延出するカンチレバー状の腕部を含み、該腕部は、側面視において曲率中心が上方に位置するような曲面を有する湾曲した形状である湾曲部と、自由端に位置する頂部の両側において前記腕部の延出方向に対して傾斜する一対の斜辺部と、前記腕部を板厚方向に貫通する開口部とを含み、該開口部は、平面視において一方の軸が前記腕部の延出方向に延在する菱形状の形状を有し、前記腕部における前記開口部を除いた部分の幅寸法は、前記腕部の自由端から前記基部に向うにつれて、リニアに漸増する。
【００１１】
本発明の他のカード用コネクタにおいては、さらに、前記腕部は、前記基部に連結され、前記端子保持部の上面と平行な平板部と、前記湾曲部の先端に接続され、前記頂部を含み、前記端子保持部の上面より上方に位置する前方部とを更に含む。
【００１２】
本発明の更に他のカード用コネクタにおいては、さらに、前記腕部の側面視における形状は、変曲点を含まず、かつ、前記基部に連結された箇所が前記基部と一直線に連続している。
【００１３】
本発明の更に他のカード用コネクタにおいては、さらに、前記斜辺部は、前記端子保持部の上面より上方に位置する部分を含む。
【００１４】
本発明の更に他のカード用コネクタにおいては、さらに、前記端子は前記カードモジュールの挿入方向に延在する列を成すように配列され、該列において、前記カードモジュールの挿入方向に対して横方向に関する各端子の頂部の位置が相違する。
【発明の効果】
【００１５】
本発明によれば、カードモジュールの挿入及び排出の際に、カードモジュールが端子に引掛ることがないので、高い信頼性を得ることができる。
【図面の簡単な説明】
【００１６】
【図１】本発明の第１の実施の形態におけるカード用トレイが挿入された状態のカード用コネクタを示す図であって、（ａ）は上面図、（ｂ）は側面図、（ｃ）は後面図、（ｄ）は斜視図である。
【図２】本発明の第１の実施の形態におけるカード用コネクタを示す図であって、（ａ）は上面図、（ｂ）は側面図、（ｃ）は後面図、（ｄ）は斜視図である。
【図３】本発明の第１の実施の形態におけるカード用トレイ及びカード用コネクタの分解図である。
【図４】本発明の第１の実施の形態におけるシェルを取外した状態のカード用コネクタを示す図であって、（ａ）は上面図、（ｂ）は斜視図、（ｃ）は（ａ）におけるＡ−Ａ矢視拡大部分断面図、（ｄ）は（ａ）におけるＢ−Ｂ矢視拡大部分断面図である。
【図５】本発明の第１の実施の形態におけるカード用コネクタの端子とカードとの接触状態の変化を説明する図であって、（１ａ）〜（４ａ）は各段階における要部側断面図、（１ｂ）〜（４ｂ）は（１ａ）〜（４ａ）におけるＣ−Ｃ矢視部分断面図である。
【図６】本発明の第１の実施の形態におけるカード用コネクタの端子の具体例を示す図であって、（ａ）は端子の腕部の斜視図、（ｂ）は端子の腕部の上面図、（ｃ）は端子の腕部の側面図、（ｄ）は端子の腕部の後面図、（ｅ）は（ｃ）におけるＤ−Ｄ矢視断面図、（ｆ）は端子の腕部を平板状に変形した場合の上面図である。
【図７】比較例におけるカード用コネクタの端子を示す図であって、（ａ）は端子の腕部の斜視図、（ｂ）は端子の腕部の上面図、（ｃ）は端子の腕部の側面図、（ｄ）は端子の腕部の後面図、（ｅ）は（ｃ）におけるＤ−Ｄ矢視断面図、（ｆ）は端子の腕部を平板状に変形した場合の上面図である。
【図８】本発明の第１の実施の形態におけるカード用コネクタの端子の具体例とカードとの接触状態を示す図であって、（１ａ）はカードが傾斜していない姿勢で端子の腕部に当接した状態を示す上面図、（１ｂ）は（１ａ）におけるＥ−Ｅ矢視断面図、（２ａ）はカードが傾斜した姿勢で端子の腕部に当接した状態を示す上面図、（２ｂ）は（２ａ）におけるＦ−Ｆ矢視断面図である。
【図９】比較例におけるカード用コネクタの端子の具体例とカードとの接触状態を示す図であって、（１ａ）はカードが傾斜していない姿勢で端子の腕部に当接した状態を示す上面図、（１ｂ）は（１ａ）におけるＥ−Ｅ矢視断面図、（２ａ）はカードが傾斜した姿勢で端子の腕部に当接した状態を示す上面図、（２ｂ）は（２ａ）におけるＦ−Ｆ矢視断面図である。
【図１０】本発明の第２の実施の形態におけるシェルを取外した状態のカード用コネクタを示す図であって、（ａ）は上面図、（ｂ）は斜視図である。
【図１１】本発明の第３の実施の形態におけるカード用トレイ及びシェルを取外した状態のカード用コネクタの斜視図である。
【図１２】本発明の第３の実施の形態におけるシェルを取外した状態のカード用コネクタの上面図である。
【図１３】従来のカード用コネクタを示す図であって、（ａ）は平面図、（ｂ）は（ａ）のＸ−Ｘ矢視断面図である。
【発明を実施するための形態】
【００１７】
以下、本発明の実施の形態について図面を参照しながら詳細に説明する。
【００１８】
図１は本発明の第１の実施の形態におけるカード用トレイが挿入された状態のカード用コネクタを示す図、図２は本発明の第１の実施の形態におけるカード用コネクタを示す図、図３は本発明の第１の実施の形態におけるカード用トレイ及びカード用コネクタの分解図、図４は本発明の第１の実施の形態におけるシェルを取外した状態のカード用コネクタを示す図である。なお、図１及び２において、（ａ）は上面図、（ｂ）は側面図、（ｃ）は後面図、（ｄ）は斜視図であり、図４において、（ａ）は上面図、（ｂ）は斜視図、（ｃ）は（ａ）におけるＡ−Ａ矢視拡大部分断面図、（ｄ）は（ａ）におけるＢ−Ｂ矢視拡大部分断面図である。
【００１９】
図において、１０２は本実施の形態におけるカードモジュールであり、図示されない電子機器の基板等に実装されたカード用コネクタ１に挿入される。つまり、カードモジュール１０２は、カード用コネクタ１を介して、電子機器に装着される。なお、該電子機器は、例えば、パーソナルコンピュータ、携帯電話機、スマートフォン、通信モデム、パッド型コンピュータ、デジタルカメラ、ビデオカメラ、音楽プレーヤ、ゲーム機、車両用ナビゲーション装置等であるが、いかなる種類の機器であってもよい。
【００２０】
前記カードモジュール１０２は、例えば、ＳＩＭカード、マイクロＳＩＭ（ｍｉｃｒｏＳＩＭ）カード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカード自体であってもよい。また、例えば、ｍｉｎｉＳＤ（Ｒ）カードを内部に収容したＳＤ（Ｒ）カード型アダプタのように、カード用コネクタ１に挿入するのに適した形状及び寸法を備え、内部にメモリカードを収容したカード用アダプタであってもよい。さらに、カード用コネクタ１に挿入するのに適した形状及び寸法を備え、内部にメモリカードを収容したカード用トレイであってもよい。要するに、前記カードモジュール１０２は、カード用コネクタ１に挿入可能であって、該カード用コネクタ１を介して、電子機器と導通可能なものであれば、いかなる種類のモジュールであってもよい。
【００２１】
本実施の形態においては、説明の都合上、カードモジュール１０２が、図３に示されるようなカード１０１を収容したカード保持部材としてのカード用トレイ１６１である場合について説明する。また、前記カード１０１は、４ＦＦ（４ｔｈ  Ｆｏｒｍ  Ｆａｃｔｏｒ）カード、いわゆる、ナノＳＩＭ（ｎａｎｏＳＩＭ）カードであるものとして説明する。なお、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。
【００２２】
図に示されるように、本実施の形態において、前記カード１０１は、互いに平行な前端１１１ｆ及び後端１１１ｒと、前記前端１１１ｆ及び後端１１１ｒの両端を連結する互いに平行な一対の側端１１１ｓとによって周囲を画定された全体的に略矩（く）形の板状の形状を有する。そして、その表面に、端子部材である図示されない電極パッドが、複数、左右の側端１１１ｓに沿って並ぶように、例えば、３つずつ、２列に並ぶように配設されている。すなわち、電極パッドは、カード１０１の前後方向に延在する２本の列を成すように配列されている。なお、表面と反対側の裏面１１１ｂには、電極パッドが配設されていない。
【００２３】
なお、本実施の形態において、カード用コネクタ１、カードモジュール１０２、カード用トレイ１６１及びカード１０１の各部の構成及び動作を説明するために使用される上、下、左、右、前、後等の方向を示す表現は、絶対的なものでなく相対的なものであり、カード用コネクタ１、カードモジュール１０２、カード用トレイ１６１、カード１０１又はそれらの部品が図に示される姿勢である場合に適切であるが、カード用コネクタ１、カードモジュール１０２、カード用トレイ１６１、カード１０１又はそれらの部品の姿勢が変化した場合には、姿勢の変化に応じて変更して解釈されるべきものである。
【００２４】
前記カード用トレイ１６１は、金属から成る板材に打抜き、折曲げ等の加工を施して一体的に形成された金属部材と、該金属部材の周囲の少なくとも一部を被覆して一体化するように、インサート成形乃至オーバーモールド成形と称される成形方法によって成形された絶縁性の樹脂から成る樹脂部材とを含む概略平板状の部材であるが、全体が金属部材から成るものであってもよいし、全体が樹脂部材から成るものであってもよい。
【００２５】
そして、前記カード用トレイ１６１は、幅方向に延在し、カード収容凹部１６６の前後を画定する前枠部１６５及び後枠部１６２と、前後方向に延在し、後枠部１６２の両端と前枠部１６５の両端とを連結して前記カード収容凹部１６６の左右を画定する左右一対の側枠部１６４とを含んでいる。なお、前記後枠部１６２の後面には、後板部１６３が一体的に形成されている。また、該後板部１６３の一端には、前記後板部１６３を板厚方向に貫通する挿通孔（こう）１６３ａが形成されている。該挿通孔１６３ａは、カード用コネクタ１の後述されるプッシュロッド２２の操作部２２ａを、ピン、ロッド等の補助部材を介して押圧操作する際に、該補助部材を挿通させる孔（あな）である。さらに、前記側枠部１６４の外側面には、カード用コネクタ１内に挿入されたカード用トレイ１６１が保持されて固定されるための保持用凹部１６８が形成されている。
【００２６】
前記カード収容凹部１６６は、カード用トレイ１６１をその上面から下面まで貫通する、平面視において、全体的に略矩形の空間である。そして、前記カード収容凹部１６６内に収容されたカード１０１は、その側面１１２が前枠部１６５、後枠部１６２及び側枠部１６４の内側面と対向し、電極パッドが配設された表面がカード用トレイ１６１の下面に露出する。なお、前枠部１６５、後枠部１６２及び側枠部１６４の内側面には、カード収容凹部１６６内に収容されたカード１０１の表面を支持するための庇（ひさし）部１６４ａが、任意の箇所に任意の数だけ形成されている。
【００２７】
なお、前面視において、左右の側枠部１６４は、前枠部１６５の両端において、該前枠部１６５よりも下方に突出する。つまり、カード用トレイ１６１は、前面視において、略ワ冠状の形状を備える。さらに、前枠部１６５の下面は、カード収容凹部１６６内に収容されて保持されたカード１０１の表面（下面）よりも上方に位置することが望ましい。これにより、カード用トレイ１６１がカード用コネクタ１に挿入される際に、前枠部１６５が端子５１に接触することが防止される。
【００２８】
また  カード用コネクタ１は、主として合成樹脂等の絶縁性材料から成るハウジング１１と、導電性の金属から成る板材に打抜き、折曲げ等の加工を施すことによって一体的に成形され、ハウジング１１の上側に取付けられたカバー部材としてのシェル６１とを有する。該シェル６１は、概略矩形の天板部６２と、該天板部６２の側縁から立設する側板部６３とを備え、ハウジング１１及びカード用コネクタ１に挿入されたカード用トレイ１６１の少なくとも一部の上方を覆うようになっている。そして、前記カード用コネクタ１は、概略、扁（へん）平な直方体形状を備え、前記電子機器が備える、例えば、プリント配線基板等の基板の表面に取付けられ、後方（図２（ａ）における下方）の挿入口１８から、カード用トレイ１６１が挿入される。具体的には、ハウジング１１とシェル６１との間に形成されるカード挿入空間内にカード用トレイ１６１が挿入される。
【００２９】
また、前記ハウジング１１は、金属から成る板材に打抜き、折曲げ等の加工を施して一体的に形成された複数の端子５１及び下側シェル１２を含み、前記端子５１及び下側シェル１２の周囲の少なくとも一部を被覆して一体化するように、インサート成形乃至オーバーモールド成形と称される成形方法によって成形された絶縁性の樹脂から成る樹脂部材とを含む概略平板状の部材である。なお、前記下側シェル１２は、ハウジング１１を補強するフレーム部材であって、望ましくは、端子５１と同じ部材から形成されるが、前記端子５１からは分離されて電気的に絶縁されている。
【００３０】
前記ハウジング１１は、概略矩形の平板状の端子保持部としての底壁部１１ｂと、ハウジング１１におけるカード用トレイ１６１の挿入方向（前後方向）前方の前端部１１ｆに沿って幅方向に延在し、底壁部１１ｂより肉厚の奥壁部１１ａと、ハウジング１１における左右両側縁に沿って挿入方向に延在し、底壁部１１ｂより肉厚の一対の側壁部１１ｅとを含んでいる。前記奥壁部１１ａ及び側壁部１１ｅは、その下面が底壁部１１ｂの下面と面一であり、その上面が底壁部１１ｂの上面よりも上方に位置する。なお、ハウジング１１におけるカード用トレイ１６１の挿入方向後方の端部は、後端部１１ｒと称する。
【００３１】
ここで、底壁部１１ｂは、接続端子としての端子５１を保持する端子保持凹部１１ｃ及びソルダーテール用開口１１ｄを備える。該端子保持凹部１１ｃ及びソルダーテール用開口１１ｄは、底壁部１１ｂを板厚方向に貫通する開口である。そして、ソルダーテール用開口１１ｄは、単数であり、すべての端子５１のはんだ付部としてのテール部５１ｄが露出するようになっている。該テール部５１ｄは、前記基板が備える導電トレースに接続された図示されない接続パッド等に、はんだ付されることによって、前記導電トレースと確実に導通した状態となる。また、端子保持凹部１１ｃは、複数であって、ハウジング１１の前後方向に延在する列を成すように、並んで配設されている。図に示される例では、３つずつ、２列に並ぶように配設されている。すなわち、端子保持凹部１１ｃ、及び、各端子保持凹部１１ｃ内に１つずつ保持される端子５１は、ハウジング１１の前後方向に延在する２本の列を成すように配列されている。
【００３２】
端子５１は、その基部５１ａの少なくとも一部が底壁部１１ｂに埋込まれ、テール部５１ｄがソルダーテール用開口１１ｄ内に露出し、その他の部分が端子保持凹部１１ｃ内に露出している。そして、端子５１は、基部５１ａに基端が連結され、弾性的に変形可能であって、板厚が一定の片持ち梁（はり）（カンチレバー）として機能する腕部５１ｂを備える。該腕部５１ｂは、外力が付与されない状態、すなわち、初期状態においては、図４に示されるような形状を有する。具体的には、前記腕部５１ｂは、図４（ｃ）に示されるように、基部５１ａと同一平面を形成し、底壁部１１ｂの上面と平行に延在する平板状の平板部５１ｂ１と、該平板部５１ｂ１の先端に連結され、側面視において曲率中心が上方に位置するような曲面を有する湾曲した形状である湾曲部５１ｂ２と、該湾曲部５１ｂ２の先端に連結され、底壁部１１ｂの上面より上方に位置する前方部５１ｂ３とを備え、その先端が斜め上方を向いている。なお、該前方部５１ｂ３は、側面視において、直線状の形状であってもよいし、前記湾曲部５１ｂ２と同様の湾曲した形状である部分を含んでいてもよい。さらに、前記腕部５１ｂは、初期状態においては、側面視における形状が変曲点を含んでおらず、しかも、基部５１ａと一直線になるように連結されている。
【００３３】
また、前記腕部５１ｂは、図４（ａ）に示されるように、平面視において野球のホームベース状の五角形の外形を有し、その頂点に位置する頂部５１ｃが左右の側壁部１１ｅを向いている。すなわち、各端子５１は、カード１０１又はカード用トレイ１６１の挿入方向に対して横向きとなるように配設され、各腕部５１ｂは、基部５１ａからハウジング１１の幅方向に延出する。また、各腕部５１ｂの先端（自由端）に位置する頂部５１ｃの両側には、前記頂部５１ｃを通る腕部５１ｂの中心線に対してほぼ対称に傾斜する斜辺部５１ｅが形成されている。該斜辺部５１ｅは、少なくとも前方部５１ｂ３の全範囲に亘（わた）って存在し、一部が湾曲部５１ｂ２にまで及んでいてもよい。なお、前記頂部５１ｃは、平面視において、先鋭な形状であってもよいが、曲線的な形状であることが望ましい。
【００３４】
さらに、前記腕部５１ｂの中央には、該腕部５１ｂを板厚方向に貫通する開口部５１ｆが形成されている。該開口部５１ｆは、平面視において、腕部５１ｂの先端近傍から基端近傍までの範囲に延在する略菱形の形状を有し、菱形の長軸は腕部５１ｂの延出方向に延在している。より具体的には、開口部５１ｆは、前記腕部５１ｂの中心線に対して対称な形状であって、腕部５１ｂにおける開口部５１ｆを除いた部分の幅寸法（中心線に直交する方向の寸法）が、腕部５１ｂの先端から基端に向うにつれて、リニアに漸増する形状である。これにより、板厚が一定の片持ち梁として機能する腕部５１ｂは、平面視における形状が二等辺三角形の、いわゆる平等強さの梁に近似することができ、長手方向、すなわち、中心線に沿って曲げ応力が一様となる。
【００３５】
前記頂部５１ｃは、端子５１の接触部として機能し、腕部５１ｂが備えるばね性によって上方に向けて付勢され、カード用コネクタ１に挿入されたカード用トレイ１６１内のカード１０１の電極パッドの各々に接触する。なお、端子５１の数及び配列の形態は、カード１０１の電極パッドの数及び配列の形態に適合するように、適宜変更される。
【００３６】
前記底壁部１１ｂと左右の側壁部１１ｅとの間には、下側シェル１２が露出している。そして、各側壁部１１ｅの内側には、カード用トレイ１６１を保持して固定するための保持用ばね部材２５が配設されている。該保持用ばね部材２５は、前後方向に延在する細長い板状のばね部材であって、その中央部付近にハウジング１１の幅方向内側に向って突出する保持用凸部２５ａが形成されている。該保持用凸部２５ａは、カード用トレイ１６１の保持用凹部１６８と係合し、これにより、カード用コネクタ１内に挿入されたカード用トレイ１６１を保持して固定する。
【００３７】
また、前記側壁部１１ｅの一方の内側には、カード用コネクタ１内に挿入されたカード用トレイ１６１を排出するためのトレイ排出機構におけるトレイ排出操作部材としてのプッシュロッド２２が前後方向にスライド可能に取付けられている。該プッシュロッド２２は、概略直線的な棒状又は帯板状の部材であるが、その後端部には、屈曲した操作部２２ａが一体的に接続されている。前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であってトレイ排出機構におけるトレイ排出梃子（てこ）部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６１の前枠部１６５に当接して、カード用トレイ１６１に排出方向の力を付与する作用点部２１ａとして機能する。
【００３８】
さらに、ハウジング１１には、カード用コネクタ１に挿入されたカード用トレイ１６１が、カード用コネクタ１内の所定位置（カード用トレイ１６１が保持用ばね部材２５によって保持されるとともに、カード用トレイ１６１にカード１０１が収容されている場合に該カード１０１の電極パッドが対応する端子５１の頂部５１ｃと接触する位置）に到達したことを検出する検出スイッチの可動部材５７及び固定部材５８が配設されている。カード用トレイ１６１が前記所定位置に到達していない場合には、可動部材５７と固定部材５８とが接触しているので、検出スイッチは導通状態、すなわち、オン（ＯＮ）になっている。しかし、カード用トレイ１６１が前記所定位置に到達すると、可動部材５７がカード用トレイ１６１の前枠部１６５に当接して押され、これにより、可動部材５７が変位して固定部材５８から離間する。したがって、検出スイッチが非導通状態、すなわち、オフ（ＯＦＦ）になるので、カード用トレイ１６１が前記所定位置に到達したことが検出される。
【００３９】
次に、前記構成のカード用コネクタ１の動作について説明する。まず、カード用トレイ１６１を挿入する場合の動作について説明する。
【００４０】
図５は本発明の第１の実施の形態におけるカード用コネクタの端子とカードとの接触状態の変化を説明する図である。なお、図において、（１ａ）〜（４ａ）は各段階における要部側断面図、（１ｂ）〜（４ｂ）は（１ａ）〜（４ａ）におけるＣ−Ｃ矢視部分断面図である。
【００４１】
ユーザは、手指等によって、カードモジュール１０２としてのカード１０１が収容されたカード用トレイ１６１をカード用コネクタ１の後方から挿入口１８に挿入する。ここで、カード用トレイ１６１は、その上面が上を向き、すなわち、シェル６１の天板部６２と向合い、その下面が下を向き、すなわち、ハウジング１１の底壁部１１ｂと向合い、前枠部１６５がハウジング１１の前端部１１ｆの方を向くような姿勢、すなわち、正規姿勢で挿入される。そのため、カード収容凹部１６６に収容されているカード１０１は、電極パッドが配設されていない裏面１１１ｂが上を向き、電極パッドが配設された表面がカード用トレイ１６１の下面に露出した状態で下を向く姿勢となっている。なお、カード用トレイ１６１は、カード１０１を収容していない状態であっても、カード１０１を収容した状態であっても、カード用コネクタ１に挿入及び排出することができるが、ここでは、カード１０１を収容している場合についてのみ説明する。
【００４２】
そして、ユーザがカード用トレイ１６１を前記挿入口１８に挿入して更に進行させると、前記カード用トレイ１６１は、前記シェル６１とハウジング１１との間に形成されるカード挿入空間内を前端部１１ｆに向って進行して所定位置に到達する。この際、より詳細には、各端子５１は、カード１０１と当接し、図５に示されるように、徐々に弾性的に変形させられる。なお、図５においては、説明の都合上、カード用トレイ１６１が省略され、カード１０１のみが描写されている。また、図５（１ａ）〜（４ａ）は、カード１０１の挿入方向が右方向となるように描写されている。
【００４３】
まず、図５（１ａ）及び（１ｂ）に示されるように、カード１０１の前端１１１ｆの下端が端子５１の腕部５１ｂにおける一方（後端部１１ｒ側）の斜辺部５１ｅに当接する。前述のように、腕部５１ｂにおける前方部５１ｂ３は底壁部１１ｂの上面より上方に位置し、斜辺部５１ｅは前方部５１ｂ３の全範囲に亘って存在するのであるから、下を向いた表面が底壁部１１ｂの上面に沿うようにして挿入されたカード１０１の前端１１１ｆの下端は、常に、後端部１１ｒ側の斜辺部５１ｅに当接する。
【００４４】
続いて、カード１０１が前端部１１ｆに向って進行すると、カード１０１の前端１１１ｆの下端は、後端部１１ｒ側の斜辺部５１ｅとの接触を維持した状態で進行する、すなわち、該斜辺部５１ｅ上を摺（しゅう）動するので、図５（２ａ）及び（２ｂ）に示されるように、腕部５１ｂにおける前方部５１ｂ３は、下方に押され、弾性的に下方に変位する。
【００４５】
続いて、カード１０１が前端部１１ｆに向って更に進行すると、カード１０１の前端１１１ｆの下端は、後端部１１ｒ側の斜辺部５１ｅ上を更に摺動するので、図５（３ａ）及び（３ｂ）に示されるように、腕部５１ｂにおける前方部５１ｂ３は、下方に押され、弾性的に更に下方に変位する。
【００４６】
続いて、カード１０１が前端部１１ｆに向って更に進行すると、図５（４ａ）及び（４ｂ）に示されるように、カード１０１の前端１１１ｆの下端が頂部５１ｃを通過するので、該頂部５１ｃは、カード１０１の下を向いた表面上を摺動する。腕部５１ｂにおける前方部５１ｂ３は、これ以上は下方に変位しない。図５（４ａ）及び（４ｂ）に示されるように、挿入されたカード１０１によって前方部５１ｂ３が最も下方に変位させられた状態であっても、腕部５１ｂは、底壁部１１ｂの下面よりも上方に位置し、該下面よりも下方に突出することがない。したがって、前記下面が基板の上面に当接していても、前記腕部５１ｂが基板の上面に露出している導電トレース等に接触することがなく、短絡が発生することがない。
【００４７】
最終的にカード用トレイ１６１が所定位置に到達すると、左右一対の保持用ばね部材２５の保持用凸部２５ａが、カード用トレイ１６１の保持用凹部１６８と係合する。これにより、カード用トレイ１６１は、図１に示されるように、前記所定位置に対応する位置において安定的に保持されてロックされ、後方に向けて変位することが防止される。また、カード用トレイ１６１が前記所定位置に対応する位置に到達すると、イジェクトレバー２１の作用点部２１ａは、前枠部１６５に押されて進行してハウジング１１の奥壁部１１ａと干渉するので、それ以上進行不能となる。したがって、カード用トレイ１６１も、それ以上進行不能となる。
【００４８】
さらに、該カード用トレイ１６１が所定位置に到達すると、検出スイッチの可動部材５７が固定部材５８から離間する。これにより、検出スイッチがオフになるので、カード用トレイ１６１が前記所定位置に到達したことが検出される。
【００４９】
次に、カード用トレイ１６１をカード用コネクタ１から排出させる動作について説明する。
【００５０】
まず、ユーザが手指等によって、ピン、ロッド等の補助部材を、カード用トレイ１６１の後方から、後板部１６３に形成された挿通孔１６３ａに挿通させ、前記補助部材の先端をプッシュロッド２２の操作部２２ａに当接させる。そして、ユーザが補助部材を介してプッシュロッド２２を押込むと、該プッシュロッド２２の係合部２２ｂと係合するイジェクトレバー２１の力点部２１ｂが前方に変位する。そのため、イジェクトレバー２１の作用点部２１ａに前枠部１６５が押されて、カード用トレイ１６１は、所定位置から後方に向けて変位する。この際、カード用トレイ１６１の保持用凹部１６８と保持用ばね部材２５の保持用凸部２５ａとの係合が解除されるので、プッシュロッド２２は、カード用トレイ１６１及びイジェクトレバー２１を介して、弾性的に変形させられる保持用ばね部材２５が発揮するばね力を主因とする抵抗を受けるが、該抵抗がユーザの手指等が発揮する押圧力よりも小さいので、前記抵抗に抗して前方に移動する。また、検出スイッチがオンになり、カード用トレイ１６１が所定位置から後退したことが検出される。
【００５１】
これにより、カード用トレイ１６１の後板部１６３は、カード用コネクタ１の挿入口１８から十分に大きく後方へ突出した状態となる。したがって、ユーザは、手指等によって後板部１６３を把持することにより、カード用トレイ１６１をカード用コネクタ１から引出して排出させることができる。
【００５２】
次に、カードモジュール１０２としてのカード１０１が収容されたカード用トレイ１６１が傾斜した姿勢でカード用コネクタ１に挿入された場合について説明する。
【００５３】
図６は本発明の第１の実施の形態におけるカード用コネクタの端子の具体例を示す図、図７は比較例におけるカード用コネクタの端子を示す図、図８は本発明の第１の実施の形態におけるカード用コネクタの端子の具体例とカードとの接触状態を示す図、図９は比較例におけるカード用コネクタの端子の具体例とカードとの接触状態を示す図である。なお、図６及び７において、（ａ）は端子の腕部の斜視図、（ｂ）は端子の腕部の上面図、（ｃ）は端子の腕部の側面図、（ｄ）は端子の腕部の後面図、（ｅ）は（ｃ）におけるＤ−Ｄ矢視断面図、（ｆ）は端子の腕部を平板状に変形した場合の上面図であり、図８及び９において、（１ａ）はカードが傾斜していない姿勢で端子の腕部に当接した状態を示す上面図、（１ｂ）は（１ａ）におけるＥ−Ｅ矢視断面図、（２ａ）はカードが傾斜した姿勢で端子の腕部に当接した状態を示す上面図、（２ｂ）は（２ａ）におけるＦ−Ｆ矢視断面図である。
【００５４】
ここでは、図６に示されるような端子５１の具体例を、図７に示されるような比較例と比較しつつ、本実施の形態における端子５１の性能について説明する。なお、前記具体例は、本実施の形態における端子５１の一例であって、本実施の形態における端子５１は前記に限定されるものではない。
【００５５】
本実施の形態における端子５１の平面視において、腕部５１ｂの中心線に直交する方向（矢印Ｇで示されるカード用トレイ１６１乃至カード１０１の挿入方向）に対する斜辺部５１ｅの傾斜角の大きさは、３５度以上であることが望ましいが、図６（ｂ）に示されるように、具体例では３５度である。また、端子５１を腕部５１ｂの中心線の後方から視た状態において、底壁部１１ｂの上面に対する斜辺部５１ｅの傾斜角の大きさは、３５度以上であることが望ましいが、図６（ｃ）に示されるように、具体例では３５度である。この傾斜角は、図５において説明したカード１０１の前端部１１１ｆが斜辺部５１ｅ上を摺動する初期における斜辺部５１ｅの傾斜角に相当する。
【００５６】
さらに、端子５１を矢印Ｇで示される挿入方向から視た状態において、底壁部１１ｂの上面に対する、頂部５１ｃ近傍の斜辺部５１ｅの傾斜角の大きさは、４５度以上であることが望ましいが、図６（ｄ）に示されるように、具体例では４５度である。さらに、湾曲した腕部５１ｂを基部５１ａと同一平面の平板状に変形した場合、平面視における頂部５１ｃの頂角（一対の斜辺部５１ｅの挟み角）の大きさは、９０度以上であることが望ましいが、図６（ｆ）に示されるように、具体例では９０度である。
【００５７】
これに対し、比較例の端子２５１では、腕部２５１ｂの矢印Ｇで示される挿入方向に対する斜辺部２５１ｅの傾斜角の大きさは、図７（ｂ）に示されるように、５１度である。また、端子２５１を腕部２５１ｂの中心線の後方から視た状態において、底壁部１１ｂの上面に対する斜辺部２５１ｅの傾斜角の大きさは、図７（ｃ）に示されるように、３５度である。さらに、端子２５１を矢印Ｇで示される挿入方向から視た状態において、底壁部１１ｂの上面に対する、頂部２５１ｃ近傍の斜辺部２５１ｅの傾斜角の大きさは、図７（ｄ）に示されるように、３０度である。さらに、腕部２５１ｂを基部２５１ａと同一平面の平板状に変形した場合、平面視における頂部２５１ｃの頂角（一対の斜辺部２５１ｅの挟み角）の大きさは、図７（ｆ）に示されるように、７１度である。
【００５８】
つまり、本実施の形態における端子５１では、図６（ｄ）に示されるように、挿入方向から視た状態において、底壁部１１ｂの上面に対する斜辺部５１ｅの傾斜角を比較的大きくする一方で、図６（ｂ）及び（ｆ）に示されるように、斜辺部５１ｅの傾斜角を小さくし、頂部５１ｃの頂角を大きくすることによって、図６（ｃ）に示される斜辺部５１ｅの傾斜角、すなわち、カード１０１の前端部１１ｆが斜辺部５１ｅ上を摺動する初期における斜辺部５１ｅの傾斜角を比較的小さな値に保っている。これに対し、比較例の端子２５１では、図７（ｃ）に示される斜辺部２５１ｅの傾斜角、すなわち、カード１０１の前端部１１ｆが斜辺部２５１ｅ上を摺動する初期における斜辺部２５１ｅの傾斜角は、本実施の形態における端子５１と同等の値であるが、図７（ｄ）に示されるように、挿入方向から視た状態において、底壁部１１ｂの上面に対する斜辺部２５１ｅの傾斜角を比較的小さくし、かつ、図７（ｂ）及び（ｆ）に示されるように、斜辺部２５１ｅの傾斜角を大きくし、頂部５１ｃの頂角を小さくしている。
【００５９】
なお、比較例の端子２５１では、図７（ｅ）に示されるように、腕部２５１ｂの基端は、屈曲部２５１ｚで屈曲されて、基部２５１ａに連結されている。そして、腕部２５１ｂは、側面視において、直線状に先端に向けて延在する。したがって、比較例の端子２５１は、頂部２５１ｃの底壁部１１ｂの上面からの突出量は、端子５１の頂部５１ｃのそれとほぼ同等であるが、腕部２５１ｂにおける底壁部１１ｂの上面から突出した部分の底壁部１１ｂの上面に対する傾斜角、すなわち、図７（ｄ）に示されるような頂部２５１ｃ近傍の斜辺部２５１ｅの傾斜角は、端子５１の斜辺部５１ｅのそれよりもかなり小さくなっている。また、比較例の端子２５１の腕部２５１ｂは、側面視における形状が変曲点である屈曲部２５１ｚを含んでいる。
【００６０】
ところで、カード１０１を収容したカード用トレイ１６１は、正規の姿勢でカード用コネクタ１に挿入される場合には、図８（１ａ）に示されるように、カード１０１は、その前端１１１ｆが端子５１の腕部５１ｂの中心線に平行となった姿勢で、前記腕部５１ｂに当接する。しかしながら、カード１０１及び／又はカード用トレイ１６１の寸法誤差、ユーザの不適切な操作等に起因して、図８（２ａ）に示されるように、カード１０１が、その前端１１１ｆが端子５１の腕部５１ｂの中心線に対して傾斜した姿勢で、前記腕部５１ｂに当接することがある。
【００６１】
この場合、本実施の形態における端子５１では、挿入方向から視た状態において、底壁部１１ｂの上面に対する斜辺部５１ｅの傾斜角が大きいので、図８（２ｂ）を図８（１ｂ）と比較して分かるように、カード１０１の前端１１１ｆが斜辺部５１ｅ上を摺動する初期における斜辺部５１ｅの傾斜角があまり増加しない。したがって、前端１１１ｆが斜辺部５１ｅ上を摺動しながらカード１０１が進行する際の抵抗が大きくならず、腕部５１ｂにおける前方部５１ｂ３を弾性的に下方に変位させることが容易であり、カード１０１を容易に進行させることができる。
【００６２】
これに対し、比較例の端子２５１では、挿入方向から視た状態において、底壁部１１ｂの上面に対する斜辺部２５１ｅの傾斜角が小さいので、図９（２ｂ）を図９（１ｂ）と比較して分かるように、カード１０１の前端１１１ｆが斜辺部２５１ｅ上を摺動する初期における斜辺部２５１ｅの傾斜角が大きく増加する。したがって、前端１１１ｆが斜辺部２５１ｅ上を摺動しながらカード１０１が進行する際の抵抗が大きくなり、腕部２５１ｂにおける前方部を弾性的に下方に変位させることが困難になり、カード１０１を容易に進行させることができなくなってしまう。
【００６３】
つまり、本実施の形態における端子５１では、挿入方向から視た状態において、底壁部１１ｂの上面に対する斜辺部５１ｅの傾斜角が大きいので、カード１０１が傾斜した姿勢であっても、腕部５１ｂにおける前方部５１ｂ３を弾性的に下方に変位させることが容易であり、カード１０１を容易に進行させることができる。なお、挿入方向から視た状態において、底壁部１１ｂの上面に対する斜辺部５１ｅの傾斜角が大きい方が、カード１０１の姿勢の傾斜の影響を受けにくいことは、仮に前記傾斜角を９０度に近い値とした場合には、カード１０１が傾斜した姿勢になっても、カード１０１の前端１１１ｆが斜辺部５１ｅ上を摺動する初期における斜辺部５１ｅの傾斜角があまり大きくならず、仮に前記傾斜角を０度に近い値とした場合には、カード１０１が傾斜した姿勢になると、カード１０１の前端１１１ｆが斜辺部５１ｅ上を摺動する初期における斜辺部５１ｅの傾斜角が極めて大きくなるであろうことからも、理解することができる。
【００６４】
また、本実施の形態における端子５１では、斜辺部５１ｅにおいてカード１０１の前端１１１ｆが当接する位置から腕部５１ｂの基端までの距離が、比較例の端子２５１よりも長くなっている。したがって、腕部５１ｂにおけるばね長が比較例の端子２５１よりも長く、腕部５１ｂの負荷が低減され、カード１０１が進行する際の抵抗が大きくならず、腕部５１ｂのばね性をより確実に確保することができる。また、カード１０１の前端１１１ｆが斜辺部５１ｅ上を摺動する距離が、比較例の端子２５１よりも短いので、カード１０１の受ける損傷を低減することができる。
【００６５】
このように、本実施の形態において、カード用コネクタ１は、一面に電極パッドを備えるカードモジュール１０２が挿入される。そして、カード用コネクタ１は、カードモジュール１０２の電極パッドと接触する端子５１が配設された底壁部１１ｂを含むハウジング１１を備え、端子５１は、底壁部１１ｂに保持された基部５１ａと、基部５１ａから平面視においてカードモジュール１０２の挿入方向に対して横向きに延出するカンチレバー状の腕部５１ｂを含み、腕部５１ｂは、側面視において曲率中心が上方に位置するような曲面を有する湾曲した形状である湾曲部５１ｂ２と、自由端に位置する頂部５１ｃの両側において腕部５１ｂの延出方向に対して傾斜する一対の斜辺部５１ｅとを含む。
【００６６】
これにより、カードモジュール１０２の一面に突出部や角部が存在しても、カードモジュール１０２の挿入及び排出のいずれの際にも、これらの突出部や角部は、斜辺部５１ｅに当接して該斜辺部５１ｅ上を摺動することになるので、腕部５１ｂに引掛ることがない。したがって、カードモジュール１０２の挿入及び排出をスムーズに行うことができ、端子５１が損傷を受けたり、塑性変形したりすることがないので、カード用コネクタ１の信頼性は高いものとなる。特に、カードモジュール１０２がカード１０１を収容したカード用トレイ１６１である場合、カード１０１を収容していない空のカード用トレイ１６１がカード用コネクタ１に挿入されることがある。このような空のカード用トレイ１６１の挿入及び排出の際には、カード用トレイ１６１の前枠部１６５等が腕部５１ｂに当接する可能性があるが、その場合であっても、前記前枠部１６５等が斜辺部５１ｅに当接して該斜辺部５１ｅ上を摺動することになるので、腕部５１ｂに引掛ることがない。
【００６７】
また、腕部５１ｂは、基部５１ａに連結され、底壁部１１ｂの上面と平行な平板部５１ｂ１と、湾曲部５１ｂ２の先端に接続され、頂部５１ｃを含み、底壁部１１ｂの上面より上方に位置する前方部５１ｂ３とを更に含む。さらに、腕部５１ｂの側面視における形状は、変曲点を含まず、かつ、基部５１ａに連結された箇所が基部５１ａと一直線に連続している。これにより、カードモジュール１０２の電極パッドには頂部５１ｃが当接するので、カードモジュール１０２の挿入及び排出の際に、頂部５１ｃによる電極パッドの表面のワイピング効果を期待することができ、電極パッドの表面が清浄されるので、端子５１と電極パッドとの導通状態が確実になる。また、腕部５１ｂにおいてカードモジュール１０２の位置から基部５１ａまでの距離が長いので、腕部５１ｂにおけるばね長が長くなり、かつ、変曲点がないので曲げ応力が一箇所に集中せず、腕部５１ｂのばね性を確保することができ、電極パッドに対する接圧を高めることができ、腕部５１ｂの負荷が低減される。さらに、カードモジュール１０２が傾斜した姿勢で挿入されても、斜辺部５１ｅ上を摺動しながらカードモジュール１０２が進行する際の抵抗が大きくならず、腕部５１ｂにおける前方部５１ｂ３を弾性的に下方に変位させることが容易であり、カードモジュール１０２を容易に進行させることができる。
【００６８】
さらに、斜辺部５１ｅは、底壁部１１ｂの上面より上方に位置する部分を含む。したがって、挿入されたカードモジュール１０２は、確実に斜辺部５１ｅに当接することとなるので、斜辺部５１ｅ上を摺動し、腕部５１ｂに引掛ることがない。
【００６９】
さらに、腕部５１ｂは、腕部５１ｂを板厚方向に貫通する開口部５１ｆを含み、開口部５１ｆは、平面視において一方の軸が腕部５１ｂの延出方向に延在する菱形状の形状を有する。なお、腕部５１ｂにおける開口部５１ｆを除いた部分の幅寸法は、腕部５１ｂの自由端から基部５１ａに向うにつれて、リニアに漸増する。これにより、腕部５１ｂは、いわゆる平等強さの梁となり、その延出方向に沿って曲げ応力が一様となる。
【００７０】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００７１】
図１０は本発明の第２の実施の形態におけるシェルを取外した状態のカード用コネクタを示す図である。なお、図において、（ａ）は上面図、（ｂ）は斜視図である。
【００７２】
本実施の形態において、端子５１は、前記第１の実施の形態と同様に、３つずつ、２列に並ぶように、すなわち、ハウジング１１の前後方向（カードモジュール１０２の挿入方向）に延在する２本の列を成すように配列されているが、各列において、端子５１のハウジング１１の幅方向（カードモジュール１０２の挿入方向に対して横方向）に関する位置が互いに相違するように配置されている。
【００７３】
具体的には、図１０（ａ）に示されるように、ハウジング１１の中心線Ｙから端子５１の頂部５１ｃまでの距離が、ハウジング１１の前端部１１ｆに近い端子５１ほど短くなるように、各端子５１は配置されている。換言すると、左右一対の端子５１の頂部５１ｃ同士の間隔が、ハウジング１１の後端部１１ｒに近付くほど広く、ハウジング１１の前端部１１ｆに近付くほど狭くなるように、各端子５１は配置されている。なお、中心線Ｙは、ハウジング１１の幅方向の中心を通り、ハウジング１１の前後方向に延在する直線であり、左右２列である端子５１配列の対称軸である。
【００７４】
また、例えば、ハウジング１１の中心線Ｙから端子５１の頂部５１ｃまでの距離が、ハウジング１１の前端部１１ｆに近い端子５１ほど長くなるように、各端子５１を配置することもできる。さらに、例えば、ハウジング１１の中心線Ｙから端子５１の頂部５１ｃまでの距離が、右側の列においては、ハウジング１１の前端部１１ｆに近い端子５１ほど短くなり、左側の列においては、ハウジング１１の前端部１１ｆに近い端子５１ほど長くなるように、各端子５１を配置することもできる。
【００７５】
要するに、各列において、端子５１の頂部５１ｃのハウジング１１の幅方向に関する位置が互いに相違するように配置されていればよい。
【００７６】
このように、本実施の形態において、端子５１はカードモジュール１０２の挿入方向に延在する列を成すように配列され、この列において、カードモジュール１０２の挿入方向に対して横方向に関する各端子５１の頂部５１ｃの位置が相違する。これにより、カードモジュール１０２の電極パッドにおいて端子５１の頂部５１ｃが当接する位置が、各列における端子５１毎に相違するので、カードモジュール１０２の挿入及び排出の際に、電極パッドの同じ箇所だけを各端子５１の頂部５１ｃが摺接してしまうことがなく、電極パッドの同じ箇所だけが摩滅してしまうことがない。
【００７７】
なお、その他の点の構成、作用及び効果については、前記第１の実施の形態と同様であるので、その説明を省略する。
【００７８】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００７９】
図１１は本発明の第３の実施の形態におけるカード用トレイ及びシェルを取外した状態のカード用コネクタの斜視図、図１２は本発明の第３の実施の形態におけるシェルを取外した状態のカード用コネクタの上面図である。
【００８０】
本実施の形態においては、２種類のカード、例えば、マイクロＳＤ（Ｒ）カード又はナノＳＩＭカードのいずれかを選択的に使用することができるものであるとする。なお、ＳＤ（Ｒ）カードの規格策定団体である「ＳＤカードアソシエーション」によると、マイクロＳＤ（Ｒ）カードの大きさは、前後長１５〔ｍｍ〕、幅１１〔ｍｍ〕、厚さ１．０〔ｍｍ〕と規定されている。
【００８１】
したがって、図１１に示されるように、本実施の形態におけるカードモジュール１０２は、図３に示されるような前記第１の実施の形態におけるカードモジュール１０２とは、形状及び前後方向の寸法がやや異なり、マイクロＳＤ（Ｒ）カード又はナノＳＩＭカードのいずれかを選択的に収容することができるようになっているが、その他の点については、前記第１の実施の形態におけるカードモジュール１０２と同様である。なお、説明の都合上、ここでは、カード１０１がナノＳＩＭカードである場合についてのみ説明する。
【００８２】
また、図１１及び１２に示されるように、本実施の形態におけるハウジング１１は、端子５１に加えて、第２の端子６５を更に含んでいる。なお、該第２の端子６５は、端子５１及び下側シェル１２と同様に、インサート成形乃至オーバーモールド成形と称される成形方法によって、周囲の少なくとも一部が被覆され、前記ハウジング１１と一体化されている。
【００８３】
そして、本実施の形態において、ハウジング１１の底壁部１１ｂは、端子保持凹部１１ｃ及びソルダーテール用開口１１ｄに加えて、第２の端子６５の露出部を収容保持する第２の端子保持凹部１１ｇ及び第２のソルダーテール用開口１１ｈを備える。該第２の端子保持凹部１１ｇ及び第２のソルダーテール用開口１１ｈは、底壁部１１ｂを板厚方向に貫通する開口である。
【００８４】
第２の端子保持凹部１１ｇ及び第２のソルダーテール用開口１１ｈは、それぞれ、単数であり、第２の端子６５は、ハウジング１１の幅方向に延在する１本の列を成すように、並んで配設されている。前記第２の端子６５は、少なくとも一部が底壁部１１ｂに埋込まれ、また、接触部６５ｃが第２の端子保持凹部１１ｇ内に露出し、はんだ付部としてのテール部６５ｄが第２のソルダーテール用開口１１ｈ内に露出する。前記接触部６５ｃは、第２の端子６５が備えるばね性によって上方に向けて付勢され、カード用コネクタ１内に保持されたカード用トレイ１６１内のカード１０１の電極パッドの各々に接触する。また、前記テール部６５ｄは、前記基板に形成された信号線、コンタクトパッド、端子等に、はんだ付等によって電気的に接続される。
【００８５】
前記第２の端子６５は、例えば、マイクロＳＤ（Ｒ）カードの電極パッドに適合するように配置されたものである。つまり、カード用トレイ１６１に収容されるカード１０１の種類がマイクロＳＤ（Ｒ）カードである場合、カード１０１の表面に配設された電極パッドは、第２の端子６５の接触部６５ｃに接触する。
【００８６】
本実施の形態においては、端子保持凹部１１ｃ及びソルダーテール用開口１１ｄの形態が、前記第１の実施の形態で説明した端子保持凹部１１ｃ及びソルダーテール用開口１１ｄの形態と異なっている。
【００８７】
本実施の形態における端子保持凹部１１ｃは、ハウジング１１の前後方向に延在する２本の列を成すように並んで形成されている。そして、各端子保持凹部１１ｃ内には、端子５１が３つずつ収容され、それぞれ、ハウジング１１の前後方向に延在する列を成すように配列されている。
【００８８】
また、本実施の形態におけるソルダーテール用開口１１ｄは、ハウジング１１の後端部１１ｒに近接し、２つに分かれているが、ハウジング１１の幅方向に延在する１本の列を成すように、並んで形成されている。そして、各ソルダーテール用開口１１ｄ内には、テール部５１ｄが３つずつ収容され、それぞれ、ハウジング１１の幅方向に延在する列を成すように配列されている。
【００８９】
このように、テール部５１ｄがハウジング１１の後端部１１ｒに沿って配設されているので、前記テール部５１ｄが基板の接続パッド等に確実にはんだ付されているか否かを目視によって、容易に確認することができる。同様のことは、ハウジング１１の前端部１１ｆに沿って配設されている第２の端子６５のテール部６５ｄについても言うことができる。
【００９０】
なお、本実施の形態において、端子５１は、前記第２の実施の形態と同様に、ハウジング１１の前後方向に延在する２本の列を成すように配列され、かつ、各列において、端子５１のハウジング１１の幅方向に関する位置が互いに相違するように配置されている。つまり、左右一対の端子５１の頂部５１ｃ同士の間隔が、ハウジング１１の後端部１１ｒに近付くほど広くなるように、各端子５１は配置されている。
【００９１】
そして、図１２に示されるように、左右一対の端子５１の底壁部１１ｂに保持された基部５１ａにおけるハウジング１１の幅方向中心側の端部同士の間隔、すなわち、左右一対の端子５１の基部５１ａ同士の間隔も、ハウジング１１の後端部１１ｒに近付くほど広くなっている。なお、図１２において、点線で示されるのは、各端子５１において、ハウジング１１内に埋没した部分である。
【００９２】
ここで、各端子５１のテール部５１ｄは、ハウジング１１の後端部１１ｒに沿って並んで配置されているので、各端子５１の基部５１ａとテール部５１ｄとを結ぶ連結脚部５１ｇは、当該端子５１よりも後端部１１ｒに近い左右一対の端子５１の基部５１ａ同士の間を通過して、前後方向に延在する。具体的には、後端部１１ｒから最も離れた左右一対の端子５１の連結脚部５１ｇは、後端部１１ｒから２番目に離れた左右一対の端子５１の基部５１ａ同士の間、及び、後端部１１ｒから３番目に離れた（後端部１１ｒに最も近い）左右一対の端子５１の基部５１ａ同士の間を通過して前後方向に延在し、対応するテール部５１ｄに到達する。同様に、後端部１１ｒから２番目に離れた左右一対の端子５１の連結脚部５１ｇは、後端部１１ｒから３番目に離れた左右一対の端子５１の基部５１ａ同士の間を通過して前後方向に延在し、対応するテール部５１ｄに到達する。したがって、前記連結脚部５１ｇは、底壁部１１ｂの厚さ方向に重なり合うことなく、端子５１の列の中央を通過するように、並列に配列される。
【００９３】
このように、左右一対の端子５１同士の間隔が、ハウジング１１の後端部１１ｒに近付くほど広くなるように、各端子５１が配置されているので、各端子５１の基部５１ａとテール部５１ｄとを結ぶ連結脚部５１ｇを配設するためのスペースを確保することができ、連結脚部５１ｇの配列を適切に行うことができる。
【００９４】
なお、その他の点の構成、作用及び効果については、前記第１及び第２の実施の形態と同様であるので、その説明を省略する。
【００９５】
また、本発明は前記実施の形態に限定されるものではなく、本発明の趣旨に基づいて種々変形させることが可能であり、それらを本発明の範囲から排除するものではない。
【産業上の利用可能性】
【００９６】
本発明は、カード用コネクタに適用することができる。
【符号の説明】
【００９７】
１    カード用コネクタ
１１、８１１    ハウジング
１１ａ    奥壁部
１１ｂ    底壁部
１１ｃ    端子保持凹部
１１ｄ    ソルダーテール用開口
１１ｅ    側壁部
１１ｆ    前端部
１１ｇ    第２の端子保持凹部
１１ｈ    第２のソルダーテール用開口
１１ｒ    後端部
１２    下側シェル
１８    挿入口
２１    イジェクトレバー
２１ａ    作用点部
２１ｂ    力点部
２１ｃ    支点部
２２    プッシュロッド
２２ａ    操作部
２２ｂ    係合部
２５    保持用ばね部材
２５ａ    保持用凸部
５１、２５１、８５１    端子
５１ａ、２５１ａ、８５１ａ    基部
５１ｂ、２５１ｂ、８５１ｂ    腕部
５１ｂ１    平板部
５１ｂ２    湾曲部
５１ｂ３    前方部
５１ｃ、２５１ｃ    頂部
５１ｄ、６５ｄ    テール部
５１ｅ、２５１ｅ    斜辺部
５１ｆ    開口部
５１ｇ    連結脚部
５７    可動部材
５８    固定部材
６１    シェル
６２    天板部
６３    側板部
６５    第２の端子
６５ｃ、８５１ｃ    接触部
１０１、９０１    カード
１０２    カードモジュール
１１１ｂ    裏面
１１１ｆ    前端
１１１ｒ    後端
１１１ｓ    側端
１１２    側面
１６１    カード用トレイ
１６２    後枠部
１６３    後板部
１６３ａ    挿通孔
１６４    側枠部
１６４ａ    庇部
１６５    前枠部
１６６    カード収容凹部
１６８    保持用凹部
２５１ｚ  屈曲部  
【図１】
2019016603.tif 000003
【図２】
2019016603.tif 000004
【図３】
2019016603.tif 000005
【図４】
2019016603.tif 000006
【図５】
2019016603.tif 000007
【図６】
2019016603.tif 000008
【図７】
2019016603.tif 000009
【図８】
2019016603.tif 000010
【図９】
2019016603.tif 000011
【図１０】
2019016603.tif 000012
【図１１】
2019016603.tif 000013
【図１２】
2019016603.tif 000014
【図１３】
2019016603.tif 000015